【手続補正書】
【提出日】平成18年1月27日(2006.1.27)
【手続補正１】
【補正対象書類名】明細書
【補正対象項目名】請求項７
【補正方法】変更
【補正の内容】
【請求項７】  摺動体は、作用部と制動部あるいは制動溝とを一体的に形成する一方、作用部の軸線と、制動部あるいは制動溝の軸線とを偏心させてなる請求項１記載の直動ダンパ。
【手続補正２】
【補正対象書類名】明細書
【補正対象項目名】００１９
【補正方法】変更
【補正の内容】
【００１９】
第７の発明の摺動体は、作用部と制動部あるいは制動溝とを一体的に形成する一方、作用部の軸線と、制動部あるいは制動溝の軸線とを偏心させてなる点に特徴を有する。
なお、上記作用部と制動部あるいは制動溝とは、実質的に一体であればよく、厳密に一体的に形成されることを意味するものではない。すなわち、上記作用部と制動部あるいは制動溝とが一体的に移動可能であれば、厳密な意味での一体でなくても構わない。
【手続補正３】
【補正対象書類名】明細書
【補正対象項目名】００６５
【補正方法】変更
【補正の内容】
【００６５】
また、上記ガイド部２７，２７のそれぞれには、上記のように第１，２移動体１９，２０を重ね合わせたとき、第１移動体１９に形成した第１傾斜面２４，２４に対向する第３傾斜面２８，２８を形成し、これら第１，３傾斜面２４，２８が正対して接触できる構造にしている。さらに、上記ガイド部２７，２７には、第１，２移動体１９，２０を重ね合わせたとき、第１移動体１９に形成した第２傾斜面４４，４４に対向する第４傾斜面４５，４５を形成しているが、この第４傾斜面４５，４５は、上記第３傾斜面２８，２８と平行にしている。そして、この第４傾斜面４５，４５も、第１，２移動体１９，２０を重ね合わせたとき、第１移動体１９の第２傾斜面４４と正対して接触できる構造にしている。
【手続補正４】
【補正対象書類名】明細書
【補正対象項目名】００８７
【補正方法】変更
【補正の内容】
【００８７】
図１７，１８は、この発明の第４実施形態を示したもので、この第４実施形態の最大の特徴は、第１移動体１９および第２移動体２０の両方に、制動部を備えるとともに、これら各制動部に対応した２つの制動溝をケーシング本体１０に形成した点である。すなわち、図１７に示したように、ケーシング本体１０の筒部１４にテーパー面９１，９１を形成し、これを第２の制動溝９２としている。また、この制動溝９２に対応する第１移動体１９の連結部１９ａにもテーパー面９３，９３を形成し、これを第２の制動部としている。また、当然のこととして、上記連結部１９ａに形成された制動部の面と、ケーシング本体１０との間には、間隔３１と同様の機能を果たす間隔９４を形成している。
一方、第２移動体２０には第１の制動部を備え、ケーシング本体１０にはこの第１の制動部に対応する第１の制動溝１５を備えたもので、この第２移動体の構成は、上記第３実施形態とまったく同様である。
【手続補正５】
【補正対象書類名】明細書
【補正対象項目名】００９１
【補正方法】変更
【補正の内容】
【００９１】
上記第２移動体２０が制動溝１５に押し付けられ、第１移動体１９が第２の制動溝９２に押し付けられれば、上記第１移動体１９および第２移動体２０は、くさびを打ち込むのと同様の原理で、第１移動体１９のテーパー面９３，９３を第２の制動溝９２のテーパー面９１，９１に押し込み、第２移動体２０のテーパー面２９，２９を第１の制動溝１５のテーパー面１７，１７に押し込むことになる。
このときの押し込み力が第１移動体１９および第２移動体２０の摺動抵抗になり、この摺動抵抗が制動力となって、ダンピング力が発揮される。
したがって、この第４実施形態では、２つの制動溝および制動部で摺動抵抗を得ることができるので、第１実施形態のように１つの制動溝および制動部でダンピング効果を発揮するものより、大きなダンピング効果を発揮させることができる。
また、この第４実施形態においても、第１実施形態と全く同じ効果を期待できること当然である。
【手続補正６】
【補正対象書類名】明細書
【補正対象項目名】００９４
【補正方法】変更
【補正の内容】
【００９４】
さらに、第１移動体１９の第２傾斜面４４と、第２移動体２０の第４傾斜面４５とで、この発明の解放構造を構成しているが、上記変換構造の場合と同様に、上記第１移動体１９と第２移動体２０との何れか一方だけが傾斜面になっていればよい。この関係は、変換構造を構成する第１傾斜面２４と第３傾斜面２８と全く同じである。
また、上記第１傾斜面２４，２４と第２傾斜面４４，４４とを平行にして、さらに第３傾斜面２８，２８と第４傾斜面４５，４５とを平行にしているが、必ずしもこれらを平行にする必要はない。要するに、第１傾斜面２４，２４が第３傾斜面２８に正対し、これら第１および第３傾斜面２４，２８によって、第２移動体２０を制動溝１５に押し付ける力を発揮できればよい。また、第２傾斜面４４，４４が第４傾斜面４５，４５に正対し、これら第２および第４傾斜面４４，４５によって、上記押し付け力を解除できるような構成であればよい。
【手続補正７】
【補正対象書類名】明細書
【補正対象項目名】０１０６
【補正方法】変更
【補正の内容】
【０１０６】
また、図１９に示す矢印ｘ１方向の力が開放され、摺動体１８がスプリング３３のバネ力でノーマル位置に復帰するときには、両移動体１９，２０の傾斜面４８，５０は離れて、傾斜面４９，５１が接触する。この接触した傾斜面４９，５１には、垂直方向の分力と水平方向の分力とが作用する。ただし、この垂直方向の分力は、両移動体１９，２０を互いに引き寄せる力、すなわち上記力ｙとは反対方向の力となる。
【手続補正８】
【補正対象書類名】明細書
【補正対象項目名】０１３５
【補正方法】変更
【補正の内容】
【０１３５】
また、図２４に示す矢印ｘ１方向の力が開放され、摺動体１８がスプリング５６のバネ力でノーマル位置に復帰するときには、両移動体１９，２０の傾斜面４８，５０は離れて、傾斜面４９，５１が接触する。この接触した傾斜面４９，５１には、垂直方向の分力と水平方向の分力とが作用する。ただし、この垂直方向の分力は、両移動体１９，２０を互いに引き離す方向の力となる。
【手続補正９】
【補正対象書類名】明細書
【補正対象項目名】０１９４
【補正方法】変更
【補正の内容】
【０１９４】
上記のようにして第１移動体１９および第２移動体２０が矢印ｘ１とは反対方向に移動すると、引き出す方向の力が作用したときと同様に、第２，４傾斜面６３，６４には、垂直方向の分力と水平方向の分力とが作用し、その垂直方向の分力が、両移動体１９，２０を分離する方向の力ｙとなる。ただし、第２移動体２０に作用する矢印ｘ２と反対方向の力は、その摺動抵抗である。
つまり、引き出す方向に力が作用した場合にも、押し込む方向に力が作用した場合にも、第１移動体１９および第２移動体２０を分離する力ｙが作用する。
【手続補正１０】
【補正対象書類名】明細書
【補正対象項目名】０２１８
【補正方法】変更
【補正の内容】
【０２１８】
さらに、第１移動体１９の第１傾斜面２４と第２移動体２０の第３傾斜面２８、第１移動体１９の第２傾斜面６３と第２移動体２０の第４傾斜面６４のそれぞれで、この発明でいう変換構造を構成しているが、上記第１移動体１９と第２移動体２０との何れか一方だけを傾斜面にしておけばよい。この点は、第１実施形態と全く同様である。
また、この第９実施形態においても、第１実施形態と全く同じ効果を期待できること当然である。
なお、第９実施形態を示した図３６において、第８実施形態と同一の構成要素については、その第８実施形態と同一符号を用いている。
【手続補正１１】
【補正対象書類名】明細書
【補正対象項目名】０２３８
【補正方法】変更
【補正の内容】
【０２３８】
一方、摺動体１８が上記のように矢印ｘ１方向に移動した後に、今度は、矢印ｘ１とは反対の方向に移動した場合、接触していた第１傾斜面２４と第３傾斜面２８とが離れ、第２傾斜面６３と第４傾斜面６４とが接触する。
このように第２，４傾斜面６３，６４を接触させた状態で、第１移動体１９がさらに矢印ｘ１の反対方向に移動すれば、その移動力は、第２，４傾斜面６３，６４を介して第２移動体２０にも伝達され、第２移動体２０が共に移動する。このとき第２移動体２０には、制動部と制動溝５７との間での摺動抵抗が作用するので、第１移動体１９の移動力である矢印ｘ１の反対方向の力と、上記摺動抵抗による矢印ｘ２の反対方向の力とが作用する。
ただし、この両矢印方向の力ｘ１およびｘ２は、反対方向になるので、第２傾斜面６３と第４傾斜面６４との間では、垂直方向の分力と水平方向の分力とが作用する。このように第２移動体２０に垂直方向の分力が作用すると、第２移動体２０は第１移動体１９方向に引き寄せられる。
【手続補正１２】
【補正対象書類名】明細書
【補正対象項目名】０２４１
【補正方法】変更
【補正の内容】
【０２４１】
さらに、第１移動体１９の第１傾斜面２４と、第２移動体２０の第３傾斜面２８、あるいは、第１移動体１９の第２傾斜面６３と、第２移動体２０の第４傾斜面６４とで、この発明でいう変換構造を構成しているが、上記第１移動体１９と第２移動体２０との何れか一方だけを傾斜面にしておけばよい。この点は、第１実施形態と全く同様である。